(57)【要約】【課題】  屋根の積雪を安全に、且つ、簡単に消雪できる秀れた融雪機能を有し、しかも、大掛かりな設置作業を要したりコストが高く高価であったりせず、コスト面においても秀れるなど、画期的で実用性に秀れた屋根融雪装置を提供する。【解決手段】  通電により発熱する発熱源１によって熱せられる回転体２を、回転駆動機構３により自転回転自在に構成した融雪体Ａを少なくとも一体設け、この融雪体Ａの前記回転体２を屋根ｒの積雪に対して当接若しくは近接状態に配設する設置手段４を前記融雪体Ａに設け、前記発熱源１に熱せられた回転体２が、屋根ｒの積雪に対して当接若しくは近接状態で回転しながら屋根ｒの積雪を融雪するように構成した屋根融雪装置。【選択図】      図１
2006241793.tif 000002
【特許請求の範囲】
【請求項１】
通電により発熱する発熱源によって熱せられる回転体を、回転駆動機構により自転回転自在に構成した融雪体を少なくとも一体設け、この融雪体の前記回転体を屋根の積雪に対して当接若しくは近接状態に配設する設置手段を前記融雪体に設け、前記発熱源に熱せられた回転体が、屋根の積雪に対して当接若しくは近接状態で回転しながら屋根の積雪を融雪するように構成したことを特徴とする屋根融雪装置。
【請求項２】
通電により発熱する発熱源によって熱せられる回転体を、回転駆動機構により自転回転自在に構成した融雪体を少なくとも一体設け、この融雪体を前記回転体の回転軸が屋根の傾斜方向と略直交する方向に配設して屋根の積雪が回転体によって塞き止められるように配設する設置手段を前記融雪体に設け、前記発熱源に熱せられた回転体が、屋根の塞き止めた積雪に対して当接状態で回転しながらこの積雪を融雪するように構成したことを特徴とする屋根融雪装置。
【請求項３】
通電により発熱する発熱源によって熱せられる回転体を、回転駆動機構により自転回転自在に構成した融雪体を少なくとも一体設け、この融雪体を前記回転体が屋根の積雪に対して当接若しくは近接状態で回転しながらこの屋根の積雪の上方を移動するように配設する移動設置手段を融雪体に設け、前記発熱源に熱せられた回転体が、屋根の積雪の上方を当接若しくは近接状態で回転移動しながら屋根の積雪を融雪するように構成したことを特徴とする屋根融雪装置。
【請求項４】
前記移動設置手段は、前記融雪体を、前記回転体の回転軸が屋根の傾斜方向に配設し、且つ、この回転体を屋根の傾斜方向と直交する方向に往復移動するように配設する構成としたことを特徴とする請求項３記載の屋根融雪装置。
【請求項５】
前記移動設置手段は、前記融雪体の回転体を、屋根の傾斜方向と直交する方向に長さ方向を設定して設置固定された雪止めアングルに配設してこの雪止めアングルの長さ方向に往復移動するように配設する構成としたことを特徴とする請求項３，４のいずれか１項に記載の屋根融雪装置。
【請求項６】
前記発熱源は、前記回転体内の中空部に配設し、この発熱源に対して回転する回転体の内面から熱するように構成したことを特徴とする請求項１〜５のいずれか１項に記載の屋根融雪装置。
【請求項７】
前記回転体は、この回転体の外周面から外方に突出状態に設けられこの回転体と一体回転する雪かき部を設けた構成としたことを特徴とする請求項１〜６のいずれか１項に記載の屋根融雪装置。
【請求項８】
前記発熱源は、通電により遠赤外線を放射するハロゲンランプやカーボンランプなどの遠赤外線放射体を採用したことを特徴とする請求項１〜７のいずれか１項に記載の屋根融雪装置。
【発明の詳細な説明】
【技術分野】
【０００１】
本発明は、屋根の雪を融雪する屋根融雪装置に関するものである。
【背景技術】
【０００２】
従来から、屋根の積雪を融雪する屋根融雪装置が数多く提案されており、実用に供されている。
【０００３】
この屋根融雪装置の構成として、例えば、屋根に配管したパイプにお湯などの融雪液を循環させ、パイプを介して融雪液の熱によって融雪を行うタイプ（以下、従来装置１）や、例えば、屋根にヒーターを埋設してヒーターの放熱によって融雪を行うタイプ（以下、従来装置２）などがある。
【０００４】
この従来装置１は、例えば、屋根の略全面に亘ってパイプを配管し、融雪液を温める装置によって融雪液を温め、この融雪液を屋根のパイプに送る供給装置によって温めた融雪液を供給し、パイプに融雪液を循環させる構成が採用されている。
【０００５】
しかし、この従来装置１は、屋根の略全面に亘って配管するパイプだけでなく、融雪液を温める装置（ボイラーや、太陽熱によって融雪液を温める装置）や供給装置などの種々の装置を要するためそれだけ高価で、更に、屋根の略全面に亘ってパイプを配管するなどの大掛かりな設置作業や、融雪液の交換などの面倒なメンテナンス作業を要するなどの労力を要し、このように従来装置１には、使用する為に多大な労力とコストを要するという欠点があった。
【０００６】
一方、従来装置２は、例えば、屋根板を取り外して、この屋根板の裏面側に、電熱線を埋設した板状のヒーターを配設し、再び屋根板を取り付けることで、屋根の略全面にヒーターをビルトインする構成が採用されている。
【０００７】
この従来装置２は、ヒーターに埋設した電熱線に通電することでヒーターを放熱させ融雪を行う構成の為、上記従来装置１のように、種々の装置や、融雪液の交換などの面倒なメンテナンス作業が不要で、それだけ良好に設置し使用することができるものである。しかし、この従来装置２は、屋根の略全面を融雪する為に板状のヒーターを多数枚必要とし、これら多数枚のヒーターを屋根にビルトインする為の大変な設置作業を要し、これら全てのヒーターを発熱させる為に多大な消費電力がかかり、結局、この従来装置２にも、上記従来装置１と同様に、使用するには多大な労力とコストを要するという欠点があった。
【発明の開示】
【発明が解決しようとする課題】
【０００８】
上述のように、従来の屋根融雪装置は、融雪は良好に行えるものの、実際に屋根に設置して使用するには多大な労力やコストを要する為、各家庭で気軽に使用することができないという問題があった。
【０００９】
しかし、豪雪地帯などでは、屋根の積雪が原因の事故（家屋の倒壊や、屋根の雪下ろし時の転落事故など）が発生しており、この厄介な屋根の積雪を安全に、且つ、簡単に融雪することができる屋根融雪装置の実用価値は極めて高い。その為、コスト面にも秀れ、各家庭で気軽に使用できるような屋根融雪装置が望まれる。
【００１０】
本発明は、従来から提案されている屋根融雪装置について更なる研究開発を進めた結果完成した画期的な屋根融雪装置であって、屋根の積雪を簡単に、且つ、良好に融雪できることは勿論、大掛かりな設置作業や高価な装置，高いランニングコストや面倒なメンテナンス作業といったコスト面での問題も生ずることなく、各家庭で気軽に使用できるような低価格化を実現し得るこれまでにない画期的な屋根融雪装置を提供するものである。
【課題を解決するための手段】
【００１１】
添付図面を参照して本発明の要旨を説明する。
【００１２】
通電により発熱する発熱源１によって熱せられる回転体２を、回転駆動機構３により自転回転自在に構成した融雪体Ａを少なくとも一体設け、この融雪体Ａの前記回転体２を屋根ｒの積雪に対して当接若しくは近接状態に配設する設置手段４を前記融雪体Ａに設け、前記発熱源１に熱せられた回転体２が、屋根ｒの積雪に対して当接若しくは近接状態で回転しながら屋根ｒの積雪を融雪するように構成したことを特徴とする屋根融雪装置に係るものである。
【００１３】
また、通電により発熱する発熱源１によって熱せられる回転体２を、回転駆動機構３により自転回転自在に構成した融雪体Ａを少なくとも一体設け、この融雪体Ａを前記回転体２の回転軸が屋根ｒの傾斜方向と略直交する方向に配設して屋根ｒの積雪が回転体２によって塞き止められるように配設する設置手段４を前記融雪体Ａに設け、前記発熱源１に熱せられた回転体２が、屋根ｒの塞き止めた積雪に対して当接状態で回転しながらこの積雪を融雪するように構成したことを特徴とする屋根融雪装置に係るものである。
【００１４】
また、通電により発熱する発熱源１によって熱せられる回転体２を、回転駆動機構３により自転回転自在に構成した融雪体Ａを少なくとも一体設け、この融雪体Ａを前記回転体２が屋根ｒの積雪に対して当接若しくは近接状態で回転しながらこの屋根ｒの積雪の上方を移動するように配設する移動設置手段４を融雪体Ａに設け、前記発熱源１に熱せられた回転体２が、屋根ｒの積雪の上方を当接若しくは近接状態で回転移動しながら屋根ｒの積雪を融雪するように構成したことを特徴とする屋根融雪装置に係るものである。
【００１５】
また、前記移動設置手段４は、前記融雪体Ａを、前記回転体２の回転軸が屋根ｒの傾斜方向に配設し、且つ、この回転体２を屋根ｒの傾斜方向と直交する方向に往復移動するように配設する構成としたことを特徴とする請求項３記載の屋根融雪装置に係るものである。
【００１６】
また、前記移動設置手段４は、前記融雪体Ａの回転体２を、屋根ｒの傾斜方向と直交する方向に長さ方向を設定して設置固定された雪止めアングル16に配設してこの雪止めアングル16の長さ方向に往復移動するように配設する構成としたことを特徴とする請求項３，４のいずれか１項に記載の屋根融雪装置に係るものである。
【００１７】
また、前記発熱源１は、前記回転体２内の中空部に配設し、この発熱源１に対して回転する回転体２の内面から熱するように構成したことを特徴とする請求項１〜５のいずれか１項に記載の屋根融雪装置に係るものである。
【００１８】
また、前記回転体２は、この回転体２の外周面から外方に突出状態に設けられこの回転体２と一体回転する雪かき部２ａを設けた構成としたことを特徴とする請求項１〜６のいずれか１項に記載の屋根融雪装置に係るものである。
【００１９】
また、前記発熱源１は、通電により遠赤外線を放射するハロゲンランプやカーボンランプなどの遠赤外線放射体１を採用したことを特徴とする請求項１〜７のいずれか１項に記載の屋根融雪装置に係るものである。
【発明の効果】
【００２０】
本発明は上述のように、通電した発熱源に熱せられた回転体を、屋根の積雪に対して当接若しくは近接状態で回転しながら屋根の積雪を融雪するように構成したから、この回転体を介した発熱源の熱で効率良く積雪を融雪でき、それだけ屋根の積雪を確実に消雪したり、それだけ少ない消費電力で屋根の積雪を十分に消雪したりといった良好な融雪を行うことができる。
【００２１】
また、融雪体を屋根に設置してこれに通電するだけで屋根の積雪の融雪を行うことができ、例えば、大掛かりな設置作業や面倒なメンテナンス作業を要し多大や労力やコストがかかるといったことも無く、簡単に、且つ、低コストに上記秀れた融雪を行うことができる。
【００２２】
また、例えば、回転体の回転軸が屋根の傾斜方向と略直交する方向に配設して屋根の積雪が回転体によって塞き止められるように配設する設置手段によって融雪体を設置し、屋根を滑落しようとして前記回転体に塞き止め状態に当接する積雪をこの回転体で当接状態に回転しながら融雪することで、一層効率良く屋根の積雪を融雪できる構成としたり、また、例えば、回転体が屋根の積雪に対して当接若しくは近接状態で回転しながらこの屋根の積雪の上方を移動するように配設する移動設置手段によって融雪体を設置することで、この回転体の移動可能な広範囲の屋根の積雪をこの回転体で当接若しくは近接状態に回転しながら融雪することで、一体の融雪体で屋根の広範囲の積雪を効率良く融雪できる構成としたりなど、様々なスタイルで屋根に融雪体を設置し、良好に屋根の積雪の融雪を行うことができる。
【００２３】
従って、本発明は、積雪に対して当接若しくは近接状態に回転する回転体を介した発熱源からの熱によって効率良く屋根の積雪を融雪することができる上に、この融雪体を上記の通り様々なスタイルで屋根に設置することで、一層効率良く融雪したり、たった数体の融雪体で屋根の広範囲の積雪を融雪したりでき、屋根の積雪を簡単に、且つ、良好に消雪できると共にコスト面においても秀れるなど、秀れた融雪機能とコスト性とを兼ね備えたこれまでにない画期的で実用性に秀れた屋根融雪装置となる。
【００２４】
また、例えば、発熱源を筒状の前記回転体内の中空部に配設する構成とすることで、発熱源からの熱を無駄なく（効率良く）回転体を介して屋根の積雪に伝えることができる構成とすることも可能である。
【００２５】
また、例えば、前記融雪体を、屋根に予め設置された雪止めアングルを利用して設置するように構成すれば、設置作業を一層簡易化でき、一層低コスト化も図り得る。
【００２６】
また、例えば、回転体の周面から外方に突出状態に雪かき部を設け、回転体に当接する屋根の積雪をこの雪かき部でかき崩しながら融雪することで一層効率良く融雪し得る構成とすることも可能である。
【００２７】
また、例えば、発熱源としてハロゲンランプやカーボンランプなどの遠赤外線放射体を採用することで、安価で手に入り、少ない消費電力でも良好に回転体を熱することができるなど、一層低コスト化を図り得る。
【発明を実施するための最良の形態】
【００２８】
好適と考える本発明の実施形態を、図面に基づいて本発明の作用を示して簡単に説明する。
【００２９】
通電により発熱する発熱源１によって熱せられる回転体２を回転駆動機構３により自転回転自在に構成した融雪体Ａを、設置手段４によって屋根ｒに設置し、通電する。
【００３０】
この際、発熱源１に熱せられた回転体２は屋根ｒの積雪に対して当接若しくは近接状態に配設されている為、この回転体２を介した発熱源１の熱によって屋根ｒの積雪が融雪されることとなる。
【００３１】
またこの際、回転体２は屋根ｒの積雪に対して回転しているので、この回転体２を介した発熱源１の熱による融雪が効率良く行われ、それだけ少ない消費電力で屋根ｒの積雪を融雪できることとなる。即ち、回転体２は積雪に対して回転しながら、この回転体２の順次異なる部位を屋根ｒの積雪に対して当接若しくは近接させるので、この回転体２を介して発熱源１からの熱が効率良く積雪に伝わることなり、それだけ効率良く屋根ｒの積雪が融雪されることとなる。
【００３２】
よって、本発明は、屋根ｒに設置した融雪体Ａに通電するだけで簡単に、且つ、少ない消費電力で十分に屋根ｒの積雪を融雪できることとなるなど、秀れた融雪機能とコスト性とを兼ね備えた屋根融雪装置となる。
【００３３】
また、例えば、前記融雪体Ａを前記回転体２の回転軸が屋根ｒの傾斜方向と略直交する方向に配設して屋根ｒの積雪が回転体２によって塞き止められるように配設する設置手段４を融雪体Ａに設けた構成とすれば、屋根ｒに配設したこの回転体２より傾斜上方の積雪が自重によって屋根ｒを滑落しようとして前記回転体２に塞き止め状態に当接することとなり、この際、前記積雪は自重によって滑落しようとする分だけ強く回転体２に当接し、効率良く融雪が行われることとなる。
【００３４】
また、例えば、前記融雪体Ａを前記回転体２が屋根ｒの積雪に対して当接若しくは近接状態で回転しながらこの屋根ｒの積雪の上方を移動するように配設する移動設置手段４を融雪体Ａに設けた構成とすれば、前記発熱源１に熱せられた回転体２がこの回転体２の移動可能な広範囲の積雪を融雪することとなる。しかも、単に回転体２が屋根ｒの積雪の上方を移動するだけでなく、積雪に対して回転しながらこの積雪の上方を回転移動しており、よって、広範囲の積雪が効率良く融雪されることとなる。
【００３５】
従って、本発明は、上記の通り、屋根ｒに様々なスタイルで融雪体Ａを設置し、一層効率良く少ない消費電力で屋根ｒを融雪したり、たった数体の融雪体Ａで屋根ｒの略全面を良好に融雪したりもできることとなり、一層秀れた融雪機能とコスト性とを兼ね備えることとなる。
また、例えば、屋根ｒに予め設置されている雪止めアングル16を利用して前記融雪体Ａの回転体２を屋根ｒに設置する構成とすれば、一層設置が簡単でコスト面においても秀れることとなる。
【００３６】
また、例えば、前記発熱源１を前記回転体２内の中空部に配設した構成とすれば、この発熱源１から放射方向に射出する熱を外部に無駄に漏らすこと無く、全熱を回転体２の内面で受けることができ、一層前記発熱源１からの熱を回転体２を介して積雪に伝え、熱効率の良い効率的な融雪が行われることとなる。
【００３７】
また、例えば、前記回転体２に、この回転体２の外周面から外方に突出しこの回転体２と一体回転する雪かき部２ａを複数突設した構成とすれば、屋根ｒの積雪に雪かき部２ａが回転し当接することで、塊状の積雪をかき崩しながら融雪することができ、しかも、前記発熱体１に熱せられてこの発熱体１からの熱を間接的に積雪に伝える回転体２の表面積が雪かき部２ａの分だけ広くなるので、一層良好に積雪に熱を伝える、即ち、一層良好に融雪を行えることとなる。
【００３８】
また、例えば、前記発熱源１として、通電により遠赤外線を放射するハロゲンランプやカーボンランプなどの遠赤外線放射体１を採用すれば、少ない消費電力で効率良く前記回転体２を熱っせられることとなる上に、例えば、既存の棒状の遠赤外線放射体１を回転体２内に嵌挿するなどして、一層簡易構成にして低コスト化を図り得ることとなる。
【実施例１】
【００３９】
本発明の具体的な実施例１について図面に基づいて説明する。
【００４０】
本実施例は、通電により発熱する発熱源１によって熱せられる回転体２を、回転駆動機構３により自転回転自在に構成した融雪体Ａを少なくとも一体設け、この融雪体Ａの前記回転体２を屋根ｒの積雪に対して当接若しくは近接状態に配設する設置手段４を前記融雪体Ａに設け、前記発熱源１に熱せられた回転体２が、屋根ｒの積雪に対して当接若しくは近接状態で回転しながら屋根ｒの積雪を融雪するように構成した屋根融雪装置である。
【００４１】
発熱源１は、通電により遠赤外線を放射するハロゲンランプやカーボンランプなどの遠赤外線放出体１を採用している。尚、本実施例では、一般的に市販されている長さ約２ｍの棒状のハロゲンランプを採用している。
【００４２】
また、このハロゲンランプ（発熱源１）は、図３に図示したように、このハロゲンランプの両端部を後述の回転体保護カバー13の内側カバー体13ａの各端面に保持している。尚、図３中、符号１ａはこのハロゲンランプに通電する為の電気コード１ａであり、内側カバー体13ａの上面に這わせるように配線している。
【００４３】
回転体２は、図２及び図３に図示したように、円筒状の金属製部材から成り、この円筒状の回転体２の中空部に、この回転体２の長さ方向に沿って、棒状のハロゲンランプ（発熱源１）を所定間隔を介して複数（本実施例では、回転体２の回転軸を中心として、側面視約６０°の間隔で３体）配設した構成である。尚、この回転体２の長さ寸法は、略２ｍのハロゲンランプを配設し得るように略２ｍ程度の長さに設定している。
【００４４】
この回転体２は、図１及び図２に図示したように、この回転体２の外周面から外方に突出しこの回転体２と一体回転する雪かき部２ａを複数突設した構成である。
【００４５】
この雪かき部２ａは、図１に図示したように、金属製平板材の両端側を互いに反対方向に約９０°曲折して形成した構成で、図２に図示したように、この雪かき部２ａの一端側を円筒状の回転体２の長さ方向に沿って溶接接合して双方が一体回転するように構成し、この雪かき部２ａの他端側（突出端側）が、この回転体２の回転方向（図１中、時計方向）に向けて９０°曲折し突出状態となるように構成している。
【００４６】
また、本実施例では、回転体２の回転軸を中心とした側面視約４５°の間隔を介して８体の雪かき部２ａを溶接接合しており、また、各雪かき部２ａは回転体２と略同様の長さ寸法に設定している。
【００４７】
尚、この雪かき部２ａは、本実施例の構成に限らず、例えば、前記回転体２の周面から外方に棒状の雪かき部２ａを多数突設て構成しても良く、他にも、本実施例と同様の機能を発揮し得る構成とすれば良い。
【００４８】
また、この回転体２は、一側（図１中、右側）が開口した金属製の回転体保護カバー13内に配設される構成である。
【００４９】
尚、この回転体保護カバー13は、図１及び図３に図示したように、内側カバー体13ａと、この内側カバー体13ａを両端側及び上方から囲む外側カバー体13ｂとから成る構成であり、また、この回転体保護カバー13の内側カバー体13ａの底面は多孔状に形成し、この回転体保護カバー13内の回転体２により融雪された積雪（雪解け水など）が排出されるように構成している。
【００５０】
この回転体２を自転回転させる回転駆動機構３は、この回転体２の荷重を受けながらこの回転体２を自転回転自在に支持する回転体受け機構６と、駆動源７を有しこの駆動源７の駆動を前記回転体受け機構６に支持された回転体２に伝達する駆動伝達機構８とから成る構成である。
【００５１】
この回転体受け機構６は、図１及び図３に図示したように、前記回転体保護カバー13の内側カバー体13ａの両側面に夫々、３体の回転部材６ａを軸着し、この３体の回転部材６ａを回転体２の両端側の内面に回転自在に当接することによって回転体２が自転回転自在に支持されるように構成している。尚、この回転体受け機構６は、本実施例の構成に限らず、例えば、ベアリングを用いる軸受機構など、前記回転体２を回転自在に支持し得る構成であれば良い。
【００５２】
この駆動伝達機構８は、モーター（駆動源７）を有し、このモーターの駆動を前記回転体受け機構６に支持された回転体２に伝える構成であり、具体的には、図１及び図２に図示したように、モーター（駆動源７）と、このモーターに設けられモーターと一体回転する第一歯車９と、この第一歯車９に連設されてこの第一歯車９と噛み合って回転する第二歯車10と、この第二歯車10の側面に一端を枢着して設ける押圧バー11とから成る構成である。
【００５３】
図１及び図２に図示したように、モーター（駆動源７）を回転させると第一歯車９を介して第二歯車10に回転駆動が伝達され、この第二歯車10に一端を枢着した押圧バー11の先端が前記回転体２の雪かき部２ａに当接してこの雪かき部２ａを押圧することで、前記回転体受け機構６に支持された回転体２が自転回転するように構成している。
【００５４】
また、このモーター（駆動源７）及び駆動伝達機構８は、図４に図示したように、回転体保護カバー13の中央位置にしてこの回転体保護カバー13の後方（図１中、左方）に連通状態に付設した金属製の駆動源保護カバー14内に配設した構成である。
【００５５】
従って、回転体２は、端部寄り位置ではなく中央寄り位置で、前記押圧バー11によって雪かき部２ａを押圧されるので良好に自転回転する。また、回転体２に対して、側方ではなく後側にモーター（駆動源７）や駆動伝達機構８などが配設されている為、例えば、図４に図示したように融雪体Ａを複数並設し、複数の回転体２を横並びに配設したい場合に、これらモーター（駆動源７）や駆動伝達機構８が邪魔で回転体２と回転体２との間に無駄な隙間が生ずるということも無い。
【００５６】
尚、符号14ａは、前記押圧バー11が上方から当接し、この押圧バー11の移動範囲が規制される（押圧バー11の先端が回転体２の下方側に潜り込まないようにする）為の凸部14ａである。
【００５７】
以上の構成から成る融雪体Ａを前記回転体２の回転軸が屋根ｒの傾斜方向と略直交する方向に配設して屋根ｒの積雪が回転体２によって塞き止められるように配設する設置手段４を、前記融雪体Ａに設けている。
【００５８】
この設置手段４は、具体的には、図１及び図４に図示したように、屋根ｒに予め設置された雪止め金具15に固定された断面Ｌ字形の雪止めアングル16の立ち上がり面に、融雪体Ａの回転体保護カバー13の後方下部（図１中、左下）を、締結具17によって締結固定してこの雪止めアングル16に融雪体Ａを固定状態に設置する構成である。
【００５９】
また、本実施例では、図４に図示したように、屋根ｒの軒先にこの屋根ｒの横方向（傾斜方向と直交する方向）に長さ方向を設定して設置された雪止めアングル16に、前記融雪体Ａを固定して、屋根ｒの軒先に沿って融雪体Ａを複数並設状態に設けている。
【００６０】
尚、本実施例では、屋根ｒに予め設置された雪止めアングル16に融雪体Ａを締結固定する構成としたが、これに限らず、例えば、屋根ｒの屋根板に前記融雪体Ａを直接固定する構成など、本実施例と同様、融雪体Ａを屋根ｒに確実に設置固定し得る設置手段を融雪体Ａに設ければ良い。また、本実施例では、屋根ｒの軒先に融雪体Ａを並設状態に設けた構成であるが、これに限らず、屋根ｒの中央高さ位置や、屋根ｒの上方寄り位置などに複数設置する構成としても良い。
【００６１】
本実施例は上述のように構成したから、屋根ｒに設置された融雪体Ａの、３体のハロゲンランプ（発熱源１）に通電すると、この３体のハロゲンランプが発熱し（遠赤外線を放射し）回転体２を内面から熱することとなり、この熱せられた回転体２が、屋根ｒの積雪に対して図４に図示したように塞き止め当接状態で回転することでこの塞き止められた屋根ｒの積雪を融雪することとなる。
【００６２】
また、この際、回転体２は屋根ｒの積雪に対して回転しているので、この回転体２を介したハロゲンランプ（発熱源１）の熱による融雪が効率良く行われ、それだけ少ない消費電力で屋根ｒの積雪を融雪できることとなる。即ち、回転体２は積雪に対して回転しながらこの回転体２の異なる部位を順次積雪に対して当接若しくは近接することとなるので、この回転体２を介して前記発熱源１の熱が効率良く積雪に伝わり、それだけ効率良く融雪が行われることとなる。
【００６３】
また、このように回転体２を熱してこの回転体２に融雪熱を蓄熱するハロゲンランプは、図２に図示したように、円筒状の回転体２内の中空部に配設されており、このハロゲンランプは各個に放射方向に熱を放射するものの、この放熱を無駄にすることなく確実に回転体２を介して積雪に伝え、融雪熱として利用できることとなる。即ち、仮にハロゲンランプを積雪に対して直接放射させる構成とした場合には、積雪に向かって放射された熱は融雪熱として利用されるものの、残余の放熱は無駄になってしまい、熱効率が悪くなる。この点、本実施例においては、回転体２を設け、ハロゲンランプから放射される熱をこの回転体２の内面で受け、この回転体２を介して積雪に無駄なく熱を伝えることができる。
【００６４】
また、図１に図示したように、回転体２は、雪かき部２ａを一体回転させ、この雪かき部２ａに当接若しくは近接する積雪をこの雪かき部２ａでかき崩しながら回転体２の下方側へと引き寄せるようにして融雪を行うので、それだけ効率良く積雪を融雪できることとなり、その上、雪かき部２を周面部から突設した分だけ回転体２の表面積が広くなり、それだけ発熱源１の熱を一層効率良く積雪に伝え、効率良く融雪を行うこととなる。
【００６５】
また、図４に図示したように、回転体２が屋根ｒの軒先に、この屋根ｒの傾斜方向と直交する方向に並設状態に保持されるように融雪体Ａを屋根ｒに複数並設しているので、この回転体２より傾斜上方側の積雪に対してこの回転体２が塞き止め状態で回転することとなり、この回転体２より傾斜上方側の積雪が自重によって傾斜下方側に滑落しようとしても、この回転体２に塞き止められると共にこの回転体２に当接若しくは近接し、上記の通り効率良く良好に融雪されることとなる。つまり、屋根ｒの軒先の長さ（屋根ｒの横幅）の分だけ融雪体Ａを並設するだけで、この屋根ｒの略全面の積雪をこれら数体の融雪体Ａで塞き止め状態で融雪できることとなる。
【００６６】
このように本実施例は、融雪体Ａを設置手段４によって屋根ｒに設置し、これに通電するだけで簡単に、且つ、極めて効率良く前記発熱源１からの熱を融雪熱として利用し良好に融雪を行うことができ、しかも、例えば、屋根ｒの略全面に隈なく融雪体Ａを設置する必要がなく、屋根ｒの軒先に沿って、たった数体の融雪体Ａで屋根ｒの略全面の積雪を行うことができることとなる。
【００６７】
よって、本実施例は、安全に、且つ、簡単に屋根ｒの融雪を行うことができるという秀れた実用性を有し、しかも、大掛かりな設置作業を要さず、たった数体の融雪体Ａを屋根に設置するだけで屋根ｒの融雪を達成でき、装置自体の低コスト化も図り得、低価格で提供可能であるが故に各家庭に気軽に設置できることとなるなど、秀れた実用性とコスト性とを兼ね備えた画期的で極めて高い商品価値を有する屋根融雪装置となる。
【００６８】
また、本実施例においては、屋根ｒに予め設置されている雪止めアングル16に回転体保護カバー13の後方下部を締結固定することで簡単に融雪体Ａを屋根ｒに設置できる、即ち、屋根ｒに設置されている既存の雪止めアングル16を利用して、本実施例に係る屋根融雪装置を簡単に屋根ｒに設置することができるから、設置に大掛かりな作業を要するなどの問題が生じ得ず、この点においても一層実用性に秀れコスト面においても秀れる。
【００６９】
また、本実施例においては、特別な発熱源１を要さず、一般的に市販されている既存のハロゲンランプを発熱源１として採用しており、コスト高となる心配がない。また、ハロゲンランプは少ない消費電力で効率良く良好に放熱を行うので、一層良好に融雪を行うことができ、ランニングコストも軽減できるなどコスト面においても一層秀れるなど、一層秀れた実用性とコスト性を有することとなる。
【００７０】
また、本実施例においては、回転体２を回転させる回転駆動機構３を回転体２に対して側方ではなく後方に設けているので、図４に図示したように融雪体Ａを並設する（回転体２を横並びにさせる）際に回転駆動機構３が邪魔にならず、それだけ回転体２を隙間無く横並びに配設でき良好に屋根ｒの積雪を融雪できるなど、この点においても実用性に秀れる。
【００７１】
尚、本発明は、実施例１に限られるものではなく、各構成要件の具体的構成は適宜設計し得るものである。
【実施例２】
【００７２】
本発明の具体的な実施例２について図面に基づいて説明する。
【００７３】
本実施例は、実施例１の別例であって、図５に図示したように、通電により発熱する発熱源１によって熱せられる回転体２を、回転駆動機構３により自転回転自在に構成した融雪体Ａを少なくとも一体設け、この融雪体Ａを前記回転体２の回転軸が屋根ｒの傾斜方向と略直交する方向に配設して屋根ｒの積雪が回転体２によって塞き止められるように配設する設置手段４を前記融雪体Ａに設け、前記発熱源１に熱せられた回転体２が、屋根ｒの塞き止めた積雪に対して当接状態で回転しながらこの積雪を融雪するように構成した屋根融雪装置である。
【００７４】
回転体２は、図６に図示したように、この回転体２を両端側及び上方から囲む内側カバー体13ａと、この内側カバー体13ａを両端側及び上方から囲む外側カバー体13ｂとから成る回転体保護カバー13内に配設している。
【００７５】
この回転体２を自転回転させる回転駆動機構３は、図５及び図６に図示したように、前記モーター（駆動源７）を前記内側カバー体13ａの上面に設け、このモーターにこのモーターと一体回転する第一歯車９を設け、この第一歯車９と噛み合って回転する大径歯車19ａ及びこの大径歯車19ａと対設される小径歯車19ｂとから成る二段掛け歯車19を第一歯車９に連設し、この二段掛け歯車19の小径歯車19ｂで、回転体２の端部に設けた第三歯車20を介して回転体２を自転回転させる構成である。
【００７６】
また、回転体２の雪かき部２ａは、突出先端部をＴ字状に形成した構成である（尚、この雪かき部２の突出先端部をＬ字状若しくはＩ字（フラット）状に形成しても良い。）。
【００７７】
移動設置手段４は、前記融雪体Ａの屋根ｒに対する移動を規制する規制手段18を有し、この規制手段18は、具体的には、屋根ｒにレール18ａを敷設し、このレール18ａによって融雪体Ａの移動方向を規制する構成としている。更に具体的には、この移動設置手段４は、前記融雪体Ａの回転体２を、屋根ｒの傾斜方向と直交する方向に長さ方向を設定して設置固定された雪止めアングル16に配設してこの雪止めアングル16の長さ方向に往復移動するように配設する構成としている。即ち、前記レール18ａとして、図７に図示したように、屋根ｒの傾斜方向と直交する長さ方向で固定した一対の雪止めアングル16の各上縁辺を採用している。
【００７８】
このレール18ａ（雪止めアングル16の上縁辺）に、回転体２の両端側に設けこの回転体２と一体回転する車輪部21を被嵌状態に支承させて、このレール18ａ上を前記車輪部21が転がり移動するように構成している。
【００７９】
従って、融雪体Ａは、図７に図示したように、屋根ｒの傾斜方向に沿って、この屋根ｒの傾斜方向と直交する方向に往復移動自在に設置させる。
【００８０】
また、図５に図示したように、回転体保護カバー13の両端側には、回転体２の車輪部21の前後に縦列状態に、補助脚22ａを介して補助車輪22を設けている。
【００８１】
従って、融雪体Ａを一対のレール18ａ上に支承した際、回転体２の両端側の車輪部21と共に、この融雪体Ａの両端側の補助車輪22が縦列状態にレール18ａに支承される為、このレール18ａを介して屋根ｒに対して安定性良く前記融雪体Ａが移動自在に設置される。
【００８２】
以上の構成から成る融雪体Ａを、本実施例においては、図７に図示したように、屋根ｒに雪止めアングル16を複数設置してこの複数の雪止めアングル16の上縁辺（レール18ａ）に融雪体Ａを複数並設状態に設置する構成とし、この融雪体Ａの回転体２が屋根ｒの傾斜方向に沿った軸方向でこの屋根ｒの傾斜方向に複数並設し、この屋根ｒの近接位置にして沿設状態に、且つ、この屋根ｒの傾斜方向と直交する方向に往復移動自在に保持されるように構成している。
【００８３】
尚、前記車輪部21及び補助車輪22は、例えば合成樹脂によって成形するなどして、前記レール18ａに対する転がり接触時の接触抵抗が増すように構成しても良く、この場合は、車輪部21や補助車輪22の空回りを阻止でき、融雪体Ａを一層良好にレール18ａ上で移動させることができる。
【００８４】
また、例えば、レール18ａの上端部をＴ字形に形成し、前記車輪部21はこのＴ字形のレール18ａに被嵌状態に支承してこのレール18ａ上を転がり移動するように構成し、一方、前記補助車輪22は、このレール18ａのＴ字形の上端部を抱き込むような形状に形成し、このレール18ａの上端部に抱き込み状態にして抜け止め状態に設け、前記融雪体Ａの脱落を阻止し得るように構成しても良い。
【００８５】
また、例えば、融雪体Ａの構成は本実施例の構成に限られるものではなく、例えば、図８及び図９に図示したように、円筒状の回転体２を、ベアリング（駆動伝達機構８）を介してモーター（駆動源７）の回転により自転回転させるように構成し、この円筒状の回転体２の両端側に円環状の車輪部21を被嵌した構成など、本実施例の機能を発揮し得る構成とすれば良い。
【００８６】
本実施例は、上述のように構成したから、図７に図示したように、融雪体Ａを屋根ｒに対して往復移動させながら回転体２を屋根ｒの積雪に対して当接若しくは近接状態に回転移動させることで、一体の融雪体Ａによって、屋根ｒの傾斜方向と直交する方向に長い広範囲（横長な帯状の広範囲）の積雪を融雪することができる。
【００８７】
しかも、この融雪体Ａが屋根ｒの傾斜方向に並設されている為、たった数体の融雪体Ａを設置するだけで屋根ｒの略全面を良好に融雪できることとなる。
【００８８】
よって、本発明は、例えば、屋根ｒの傾斜方向長さが６ｍ程度であったら、この屋根ｒと略等しい幅を有するレール18ａを３対設置し、この３対のレール18ａに一体ずつ、合計たった３体の融雪体Ａ（長さ２ｍ程度）を屋根に設置するだけの極めて簡単な設置作業と僅かな設備によって、屋根ｒの略全面の融雪を実現することができるなど、簡単に屋根ｒに設置でき、一層少ない融雪体Ａで屋根ｒの略全面を良好に融雪できるなどの秀れた機能を発揮でき、屋根ｒを良好に融雪できることは勿論、一層コスト面においても秀れ、画期的で極めて実用性に秀れた屋根融雪装置となる。
【００８９】
その余は実施例１と同様である。
【実施例３】
【００９０】
本発明の具体的な実施例３について図面に基づいて説明する。
【００９１】
本実施例は、実施例１の別例であって、具体的には、回転駆動器コ３を、図１０及び図１１に図示したように、回転体２の略中央位置に、この回転体２の外周面に被嵌状態に、且つ、回り止め状態に回転体側歯車23を設け、この回転体２の前記回転体側歯車23と対応する位置に、モーター（駆動源７）とモーター側歯車24とを設け、このモーター側歯車24と前記回転体側歯車23とが噛み合うように双方の歯車23，24を連設した構成としている。
【００９２】
従って、本実施例の回転駆動機構３は、モーター（駆動源７）によってモーター側歯車24を回転することで、回転体側歯車23が回転し、これと一体に前記回転体２が自転回転する構成である。
【００９３】
本実施例は、上述のように構成したから、モーター（駆動源７）からの駆動が、モーター側歯車24を介して、前記回転体２の略中央位置に設けた回転体側歯車23に伝達されることとなる。即ち、図１１に図示したように、モーター（駆動源７）からの駆動が、前記回転体２の略中央位置に伝達される為、この回転体２が良好に自転回転を行うこととなる。
【００９４】
また、本実施例の回転駆動機構３は、単に回転体２に回転体側歯車23を被嵌状態に設け、この回転体側歯車23に前記モーター（駆動源７）によって回転するモーター側歯車24を連設するだけの簡易構成とした為、生産が容易でそれだけ低コスト化を図り得、一層低価格化を実現し得るなどの秀れた実用性を発揮し、一層商品価値の高い屋根融雪装置となる。
【００９５】
その余は、実施例１と同様である。
【００９６】
尚、本実施例の回転駆動機構３の構成、即ち、回転体２の略中央位置に回転体側歯車23を被嵌して設けモーター側歯車24によって回転体側歯車23と一体に回転体２を自転回転させる構成を、上記の実施例２（屋根ｒに対して融雪体Ａを往復移動させるタイプ）の屋根融雪装置に採用しても良い。
【図面の簡単な説明】
【００９７】
【図１】実施例１に係る屋根融雪装置の側面断面図である。
【図２】実施例１に係る屋根融雪装置の要部の斜視図である。
【図３】実施例１に係る屋根融雪装置の回転体の概略説明図である。
【図４】実施例１に係る屋根融雪装置の使用状態を示す斜視図である。
【図５】実施例２に係る屋根融雪装置を示す斜視図である。
【図６】実施例２に係る屋根融雪装置の回転体の概略説明図である。
【図７】実施例２に係る屋根融雪装置の使用状態を示す斜視図である。
【図８】実施例２の別例を示す斜視図である。
【図９】実施例２の別例を示す正面断面図である。
【図１０】実施例３に係る屋根融雪装置の側面断面図である。
【図１１】実施例３に係る屋根融雪装置を示す正面図である。
【符号の説明】
【００９８】
１  発熱源，遠赤外線放射体
２  回転体
２ａ  雪かき部
３  回転駆動機構
４  設置手段，移動設置手段
16  雪止めアングル
Ａ  融雪体
ｒ  屋根
【図１】
2006241793.tif 000003
【図２】
2006241793.tif 000004
【図３】
2006241793.tif 000005
【図４】
2006241793.tif 000006
【図５】
2006241793.tif 000007
【図６】
2006241793.tif 000008
【図７】
2006241793.tif 000009
【図８】
2006241793.tif 000010
【図９】
2006241793.tif 000011
【図１０】
2006241793.tif 000012
【図１１】
2006241793.tif 000013